(57)【要約】【課題】簡易な手法で以って基礎ブロックと擁壁パネルの間をきれいに処理できて、擁壁パネルに雨水の滴下跡を生じさせないこと。【解決手段】擁壁と基礎ブロックとの間に、高さ調整機能と目隠し機能を併有する化粧ベースプレートを介在させ、化粧ベースプレートの一部を擁壁と基礎ブロックとの間から外方に突出させた。【選択図】図１
0003139305.tif 000002
【実用新案登録請求の範囲】
【請求項１】
基礎ブロックが擁壁で覆われた盛土の路肩に沿って敷設される基礎ブロックの基礎構造であって、
擁壁と基礎ブロックとの間に、高さ調整機能と目隠し機能を併有する化粧ベースプレートを介在させ、
化粧ベースプレートの一部を擁壁と基礎ブロックとの間から外方に突出させたことを特徴とする、
基礎ブロックの基礎構造。
【請求項２】
請求項１において、化粧ベースプレートの下面と擁壁の上面の間に調整用コンクリートを介在させたことを特徴とする、基礎ブロックの基礎構造。
【請求項３】
請求項１において、前記化粧ベースプレートが、水平に位置する一定躯体厚の沓部と、沓部の一辺から直交方向に向けて一体に形成した前垂れ部とより構成することを特徴とする、基礎ブロックの基礎構造。
【考案の詳細な説明】
【技術分野】
【０００１】
本考案は、擁壁で覆工した盛土の路肩に防護柵用やガードレール用の基礎ブロックを設置するにあたり、基礎ブロックの支持基礎の天端調整を容易にするとともに、外観をきれいに仕上げる基礎ブロックの基礎構造に関するものである。
【背景技術】
【０００２】
盛土堤体を主体とする新設道路の路肩に防護柵やガードレールを設置する場合、ブレキャスト製または現場打ち施工により構築した基礎ブロックを設置している。
この種の基礎ブロックは概ね断面Ｌ字形を呈していて、据付面を有する底版部と、支柱を立設する立壁部とが一体成形されている。
【０００３】
新設道路を施工するには、テールアルメ工法等により盛土から控えをとりながら盛土の側面に定形の擁壁パネルを積上げつつ盛土工を行い、最後に路肩に基礎ブロックを据え付けている。
基礎ブロックの設置にあたり、擁壁パネルは一定寸法であるから、最上位の擁壁ブロックの天端面と基礎ブロックの据え付け高さとの間に寸法差を生じる場合が多い。
【０００４】
この差を解消するため、盛土の天端と最上位の擁壁ブロックの天端面にそれぞれ基礎ブロックの据え付け高さに一致するように調整用コンクリートを打設して、高さ調整を行なっている。
路面に勾配がある場合も同様に調整用コンクリートを打設して設計勾配に合致するように天端の高さ調整を行なっている。
【考案の開示】
【考案が解決しようとする課題】
【０００５】
従来の基礎ブロックの基礎構造にはつぎのような問題点があった。
（１）基礎ブロックと擁壁パネルの間に打設した調整用コンクリートが外部に露出したままとなるため見栄えが悪い。
（２）基礎ブロックから垂れ落ちた雨水は上位の擁壁パネルの表面に直接当たって流れ落ちる。
そのため、擁壁パネルの表面に雨水の滴下跡が汚れとなって残ってしまい、擁壁の美観を損ねる。
（３）調整用コンクリートの打設作業が必要となり、それだけ工数、工期がかかるばかりかそれに伴う経費や材料費が嵩む結果となる。
（４）工期的な要請から施工途中で現場打ち施工の基礎ブロックからブレキャスト製の基礎ブロックに設計変更になる場合がある。
基礎ブロックの設計変更に伴い、天端の支持基礎の設計見直しを強いられ不経済な施工となる。
【０００６】
本考案は以上の点に鑑みてなされたもので、その目的とするところは基礎ブロックの基礎構造を提供することにある。
（１）簡易な手法で以って基礎ブロックと擁壁パネルの間をきれいに処理できること。
（２）擁壁パネルに雨水の滴下跡を生じさせないこと。
（３）基礎ブロックの設計変更時の対応が容易であること。
【課題を解決するための手段】
【０００７】
本願の第１考案は、基礎ブロックが擁壁で覆われた盛土の路肩に沿って敷設される基礎ブロックの基礎構造であって、擁壁と基礎ブロックとの間に、高さ調整機能と目隠し機能を併有する化粧ベースプレートを介在させ、化粧ベースプレートの一部を擁壁と基礎ブロックとの間から外方に突出させたことを特徴とする、基礎ブロックの基礎構造を提供する。
本願の第２考案は、前記第１考案において、化粧ベースプレートの下面と擁壁の上面の間に調整用コンクリートを介在介在させたさせたことを特徴とする、基礎ブロックの基礎構造を提供する。
本願の第３考案は、前記第１考案において、前記化粧ベースプレートが、水平に位置する一定躯体厚の沓部と、沓部の一辺から直交方向に向けて一体に形成した前垂れ部とより構成することを特徴とする、基礎ブロックの基礎構造を提供する。
【考案の効果】
【０００８】
（１）目隠用ベースパネルに高さ調整機能を付与したので、簡易な施工で以って基礎ブロックの据え付け高さに調整することができる。
（２）目隠し機能を併有させた目隠用ベースパネルを設置するだけの簡易な手法で以って、擁壁パネルと基礎ブロックの継ぎ目を遮蔽してきれいに処理することができる。
（３）目隠用ベースパネルは公知の各種形態の基礎ブロックに対応できて汎用性に富む。
（４）基礎ブロックの裾部から外方に向けて目隠用ベースパネルの一部が庇のように突出するので、擁壁パネルの表面に雨水の滴下跡がつかず、擁壁パネルの美観を損ねることがなくなる。
（５）従来の基礎構造のように、大量の調整用コンクリートの打設作業を大幅に削減できるので、施工費や材料費の低廉化が可能となる。
（６）工期的な要請から施工途中で現場打ち施工の基礎ブロックからブレキャスト製の基礎ブロックに設計変更になっても、目隠用ベースパネルは共通して使用できるので、天端の支持基礎の設計見直しがなくなる。
【考案を実施するための最良の形態】
【０００９】
以下、図面を参照しながら本考案に係る基礎ブロックの基礎構造の一例について説明する。まず主要な構造要素について説明する
【００１０】
［構成］
（１）基礎ブロック
図１は、本考案に係る基礎ブロック１０の基礎構造を例示するものである。
基礎ブロック１０は水平に形成された底版部１１と、底版部１１の一端から垂直に起立した立壁部１２とを具備する。
本例ではブレキャスト製のガードレール用の基礎ブロック１０を設置する場合について説明するが、現場打ち施工により構築する防護柵用の基礎ブロックであってもよいことは勿論である。
【００１１】
（２）擁壁パネル
盛土３０の側面は複数の擁壁パネル２０を積み上げて覆工されている。
各擁壁パネル２０は例えばテールアルメ工法等のように盛土３０に埋設した控え材の一端を擁壁パネル２０の裏面に連結して支持されている。
盛土３０の天端は従来工法と同様に基礎砕石層３１が設けられる。
【００１２】
（３）目隠用ベースパネル
目隠用ベースパネル４０は、水平に位置する一定躯体厚の沓部４１と、沓部４１の一辺から直交方向に向けて一体に形成した前垂れ部４２とにより構成されるブレキャスト製のパネルである。
目隠用ベースパネル４０はその沓部４１が天端の高さ調整機能を有し、前垂れ部４２が目隠し機能を有する。
【００１３】
（４）緩衝材
最上位の擁壁パネル２０の上部の背面と、基礎砕石層３１及び均しコンクリート３２の前面との間には、不測荷重によって擁壁パネル２０に影響を与えない緩衝作用を発揮する緩衝材３３が配設されている。
緩衝材３３としては、３０〜１００ｍｍ厚さ（例えば５０ｍｍ厚さ）の発泡スチロール等の合成樹脂発泡体を用いることができる。
【００１４】
［施工方法］
つぎに図２〜図４を参照しながら基礎ブロック１０の設置方法について説明する。
【００１５】
（１）基礎砕石工
図２において、擁壁パネル２０の積み上げと、擁壁パネル２０の背面側に展開した土砂の転圧を繰り返して所定の高さまの盛土３０を構築する。
最上位の擁壁パネル２０の上部の背面に緩衝材３３を設置する。
つぎに、最上位の擁壁パネル２０の上面と略面一となる高さまで盛土３０の天端に基礎砕石層３１を設ける。
【００１６】
（２）パネルの嵩上げ
図２に示すように、最上位の擁壁パネル２０の上面の高さＬ1が、基礎ブロックの据え付け高さＬ2に対して低い場合が多く、その高さの寸法差も施工箇所により異なっている。
【００１７】
このような現場においては、まず最上位の擁壁パネル２０の上面に調整用コンクリート３４を打設し、さらに調整用コンクリート３４の上面に緩衝板３５を敷設する。
前記した緩衝板３５はゴムや樹脂等の弾性材からなり、不測荷重によって擁壁パネル２０に影響を与えないように緩衝作用を発揮するものであればよい。
【００１８】
（３）均しコンクリートの打設
図２に示すように、基礎砕石層３１の上面には、所定の厚さ（高さ）に均しコンクリート３２を構築し、さらに硬化した均しコンクリート３２の上面に敷きモルタル３６を層状に形成する。
【００１９】
（４）目隠用ベースパネルの設置
図３に示すように、盛土３０の路肩と最上位の擁壁パネル２０とに跨うように目隠用ベースパネル４０を載置する。敷きモルタル３６に沓部４１を固着させて目隠用ベースパネル４０を均しコンクリート３２に固定する。
また、目隠用ベースパネル４０の沓部４１の上面が、基礎ブロックの据え付け高さＬ2と一致するように、既述した均しコンクリート３２や調整用コンクリート３４等を所定の高さに構築する。
さらに、基礎ブロック１０の底版部１１の着床面積を確保できるように、目隠用ベースパネル４０の沓部４１の後方に均しコンクリート４３を打設する。
【００２０】
目隠用ベースパネル４０の沓部４１に高さ調整機能を付与したので、従来のような大量の調整用コンクリートを使用する必要がなく、少量の均しコンクリート３２や調整用コンクリート３４を使用した簡易な施工で以って基礎ブロック１０の据え付け高さに調整することができる。
さらに、従来構造のように、大量の調整用コンクリートの打設、及び鉄筋の配筋作業を大幅に削減できるので、施工費や材料費の低廉化、及び工期の短縮化が可能となる。
【００２１】
（５）基礎ブロックの設置
最後に、目隠用ベースパネル４０の沓部４１と均しコンクリート４３の上面に基礎ブロック１０を据え付ける。
基礎ブロック１０の底版部１１上に、立壁部１２の上面に達する高さまで公知の埋戻材５で埋め戻し、この埋戻材５０による上載荷重によって基礎ブロック１０の転倒を防止する。
そして、基礎ブロック１０を支持基礎として、基礎ブロック１０上にガードレールや防護柵の支柱１３を立設する。
【００２２】
（６）目隠用ベースパネルの機能
目隠用ベースパネル４０の前垂れ部４２が、最上位の擁壁パネル２０の上面に積層させた調整用コンクリート３４と緩衝板３５の前方を覆った状態となって、目隠し機能を発揮する。
そのため、擁壁パネル２０と基礎ブロック１０の継ぎ目を遮蔽してきれいに処理することができる。
【００２３】
さらに基礎ブロック１０の裾部から外方に向けて目隠用ベースパネル４０の沓部４１の一部と前垂れ部４２が庇のように突出している。
そのため、基礎ブロック１０の外壁面を伝って垂れ落ちた雨水は、目隠用ベースパネル４０の沓部４１の一部と前垂れ部４２を経て滴下することになるから、最上位の擁壁パネル２０の表面に雨水の滴下跡がつかず、擁壁パネル２０の美観を損ねることがなくなる。
【図面の簡単な説明】
【００２４】
【図１】本考案に係る基礎ブロックの基礎構造のモデル図
【図２】均しコンクリートを打設するまでの基礎ブロックの基礎工の説明図
【図３】化粧ベースプレートの設置までの基礎ブロックの基礎工の説明図
【図４】完成時の基礎ブロックの基礎の断面図
【符号の説明】
【００２５】
１０・・・基礎ブロック
２０・・・擁壁パネル
３０・・・盛土
３１・・・基礎砕石層
３２・・・均しコンクリート
３３・・・緩衝材
３４・・・調整用コンクリート
３５・・・緩衝板
３６・・・敷きモルタル
４０・・・化粧ベースプレート
４１・・・沓部
４２・・・前垂れ部
４３・・・均しコンクリート
５０・・・埋戻材
【図１】
0003139305.tif 000003
【図２】
0003139305.tif 000004
【図３】
0003139305.tif 000005
【図４】
0003139305.tif 000006